(57)【要約】      （修正有）【課題】文字・絵柄の可読性を高め、同時に立体感を生じさせる効果等、より複雑な意匠を表現することを可能にする情報表示パネル用の積層シート、及び情報表示パネル、並びにそれを具備した輸送機器を提供する。【解決手段】光透過性を有する支持体４を備えた情報表示パネル１４用の積層シート１３であって、積層シート１３表面側から観察した際に、第１の表示領域１に対して第２の表示領域２が平面的に隣接して配設され、支持体４裏面の第１の表示領域１には、第１の反射層７と第１の遮光層８が順に積層され、第１の遮光層８には文字等意匠形状の第１の開口部８１が設けられ、支持体４裏面の少なくとも第２の表示領域２には、光透過性着色層９が設けられ、支持体４表面の第２の表示領域２には、第２の反射層５と第１の加飾層６とが順に積層されている。【選択図】図１
2012173460.tif 000002
【特許請求の範囲】
【請求項１】
背面側に設置された光源（３）により照明されることで情報を表示する、光透過性を有する支持体（４）を備えた情報表示パネル（１４）用の積層シート（１３）であって、
前記積層シート（１３）には、前記積層シート(１３)表面側から観察した際に、第１の表示領域（１）に対して第２の表示領域（２）が平面的に隣接して配設され、
前記支持体（４）裏面の前記第１の表示領域（１）には、第１の反射層（７）と第１の遮光層（８）が順に積層され、
前記第１の遮光層（８）には文字等意匠形状の第１の開口部（８１）が設けられ、
前記支持体（４）裏面の少なくとも前記第２の表示領域（２）には、光透過性着色層（９）が設けられ、
前記支持体（４）表面の前記第２の表示領域（２）には、第２の反射層（５）と第１の加飾層（６）とが順に積層されていることを特徴とする情報表示パネル用の積層シート。
【請求項２】
前記第１の遮光層（８）の前記開口部（８１）には、光透過性着色層（９）を備えることを特徴とする請求項１に記載する情報表示パネル用の積層シート。
【請求項３】
第１の表示領域（１）の前記第１の遮光層（８）の前記開口部（８１）に対向対応する前記支持体（４）表面に、全光線透過率が０％以上２０％以下の第２の加飾層（１０）を、さらに備えることを特徴とする請求項１または２に記載する情報表示パネル用の積層シート。
【請求項４】
前記第２の加飾層（１０）は、その外周が前記第１の遮光層（８）の前記開口部（８１）の外周から０．０５ｍｍ以上０．２０ｍｍ以下の範囲で内側にあることを特徴とする請求項３に記載する情報表示パネル用の積層シート。
【請求項５】
前記第１の反射層（７）の波長３８０ｎｍ〜７８０ｎｍにおける光線の反射率が、４０％以上９５％以下であり、前記第１の反射層（７）の全光線透過率が、５％以上４０％以下であることを特徴とする請求項１〜４のいずれか１項に記載する情報表示パネル用の積層シート。
【請求項６】
前記第１の遮光層（８）の全光線透過率が、０％以上２０％以下であることを特徴とする請求項１〜５のいずれか１項に記載する情報表示パネル用の積層シート。
【請求項７】
前記第２の反射層（５）の波長３８０ｎｍ〜７８０ｎｍにおける光線の反射率が、６０％以上９８％以下であることを特徴とする請求項１〜６のいずれか１項に記載する情報表示パネル用の積層シート。
【請求項８】
前記第１の加飾層（６）の全光線透過率が０％以上２０％以下であることを特徴とする請求項1〜７のいずれか１項に記載する情報表示パネル用の積層シート。
【請求項９】
前記光透過性着色層（９）は全光線透過率が２０％以上９０％以下の有彩色の層であることを特徴とする請求項１〜８のいずれか１項に記載する情報表示パネル用の積層シート。
【請求項１０】
前記第１の加飾層（６）の表面に、第３の加飾層（１１）がさらに備えられていることを特徴とする請求項１〜９のいずれか１項に記載する情報表示パネル用の積層シート。
【請求項１１】
前記積層シート（１３）の最表面に、全光線透過率が８０％以上１００％以下の透明加飾層（１２）がさらに備えられていることを特徴とする請求項１〜１０のいずれか１項に
記載する情報表示パネル用の積層シート。
【請求項１２】
前記支持体（４）の厚さｄが、０．１ｍｍ以上５ｍｍ以下であることを特徴とする請求項１〜１１のいずれか１項に記載する情報表示パネル用の積層シート。
【請求項１３】
前記支持体（４）は、ポリカーボネート、ポリプロピレン、発泡ポリプロピレン、ポリエチレンテレフタレート、ポリメタクリル酸メチル、アクリル樹脂、ポリスチレン、メタクリル・スチレン共重合体またはアクリルニトリル・スチレン共重合体のいずれかの樹脂を含んで構成されていることを特徴とする請求項１〜１２のいずれか１項に記載する情報表示パネル用の積層シート。
【請求項１４】
前記支持体（４）は、そのヘーズ値が９２％以下であることを特徴とする請求項１〜１３のいずれか１項に記載する情報表示パネル用の積層シート。
【請求項１５】
少なくとも光源（３）と、請求項１〜１４のいずれか１項に記載する情報表示パネル用の積層シート（１３）とを備えることを特徴とする情報表示パネル。
【請求項１６】
前記光源（３）が、ＬＥＤ光源であることを特徴とする請求項１５に記載する情報表示パネル。
【請求項１７】
前記光源（３）が、エッジライト式光源と導光板からなる面光源であることを特徴とする請求項１５に記載する情報表示パネル。
【請求項１８】
請求項１５〜１７のいずれか１項に記載する情報表示パネルを具備したことを特徴とする輸送機器。
【発明の詳細な説明】
【技術分野】
【０００１】
本発明は、光透過性支持体の表裏面に多層の印刷層を備える情報表示パネル用積層シートに関し、特に遮光層および反射層が配設され、遮光性と光反射性とを有する情報表示パネル用積層シート、及び情報表示パネル、並びにその情報表示パネルを具備した輸送機器に関する。
【背景技術】
【０００２】
自動車等の輸送機器には多くの計測器の表示機が搭載されている。その表示機等に使用される情報表示パネルに対しては、視認性のみならずデザイン性に対する要求がある。従来の情報表示パネルとして、例えば、特許文献１に開示されているように、透明基板の背面に、文字・絵柄に対応する開口部を含む、有彩色の遮光反射層と白色の明色半透過層が順に積層され、透明基板の表面には白色層と暗色層が順に積層され、文字・絵柄に対応する部分が開口部となっている構成を有するものがある。
【０００３】
上記した情報表示パネルの構成を用いることで、ランプ非点灯時は、外光により、文字・絵柄部分が有彩色で囲まれた白色で視認され、文字・絵柄の周囲は暗色で視認される。また、ランプ点灯時は白色の透過反射層を透過し、有彩色の遮光反射層の開口部を抜けた白色の光が視認されるとともに、裏面から入射し、表面の白色層で反射した光が裏面の有彩色の遮光反射層で再度反射されて表面の開口部から抜けて有彩色の間接光状に視認される。
【先行技術文献】
【特許文献】
【０００４】
【特許文献１】実開平４−１２０９９０号公報
【発明の概要】
【発明が解決しようとする課題】
【０００５】
上記した従来の技術では、遮光層開口部を抜けた直接光で文字・絵柄を表現するため、ランプ点灯時の文字・絵柄が立体感に欠け、意匠性に乏しいという問題があった。一方、遮光層で文字・絵柄を形作り、間接光で縁取られるように文字・絵柄を表現すると、文字・絵柄の輪郭が不明瞭となり、可読性が低くなる問題があった。
【０００６】
本発明は上記の問題点に鑑みてなされたものであり、文字・絵柄の可読性を高めることが出来、同時に立体感を生じさせる効果等、より複雑な意匠を表現することを可能にする情報表示パネル用の積層シート、及び情報表示パネル、並びにその情報表示パネルを具備した輸送機器を提供することを課題としている。
【課題を解決するための手段】
【０００７】
本発明は、上記課題を解決するために次のような構成を備えている。すなわち、本発明の請求項１に係る発明は、背面側に設置された光源（３）により照明されることで情報を表示する、光透過性を有する支持体（４）を備えた情報表示パネル（１４）用の積層シート（１３）であって、
前記積層シート（１３）には、前記積層シート(１３)表面側から観察した際に、第１の表示領域（１）に対して第２の表示領域（２）が平面的に隣接して配設され、
前記支持体（４）裏面の前記第１の表示領域（１）には、第１の反射層（７）と第１の遮
光層（８）が順に積層され、
前記第１の遮光層（８）には文字等意匠形状の第１の開口部（８１）が設けられ、
前記支持体（４）裏面の少なくとも前記第２の表示領域（２）には、光透過性着色層（９）が設けられ、
前記支持体（４）表面の前記第２の表示領域（２）には、第２の反射層（５）と第１の加飾層（６）とが順に積層されていることを特徴とする情報表示パネル用の積層シートである。
【０００８】
本発明に係る積層シートは上記した構成を有することで、光源（３）が点灯した際には、第２の反射層（５）で反射した光が、第１の反射層（７）で再反射して第１の表示領域（１）の観察者（１５）側に抜けることにより、立体感を持たせる。また、光源（３）が点灯した際に第１の遮光層（８）が遮光するため、第１の遮光層（８）の開口部（８１）を除いて直接光が第１の表示領域（１）を透過しない。それにより、第２の表示領域（２）の反射層（５）で反射された間接光の、第１の表示領域（１）における視認性が高められ、文字・絵柄等が美しく表示される。
【０００９】
また、本発明の請求項２に係る発明は、前記第１の遮光層（８）の前記開口部（８１）には、光透過性着色層（９）を備えることを特徴とする請求項１に記載する情報表示パネル用の積層シートである。
【００１０】
本発明に係る積層シートは上記した構成を有することで、光源（３）が点灯した際に光透過性着色層（９）を透過した光が第２の反射層（５）、第１の反射層（７）で再反射して、第１の表示領域（１）で間接光として視認されるため、間接光は光透過性着色層（９）の色に依存する。光透過性着色層（９）を任意の選択された色にすることにより、文字・絵柄等が美しく表示される。
【００１１】
また、本発明の請求項３に係る発明は、第１の表示領域（１）の前記第１の遮光層（８）の前記開口部（８１）に対向対応する前記支持体（４）表面に、全光線透過率が０％以上２０％以下の第２の加飾層（１０）を、さらに備えることを特徴とする請求項１または２に記載する情報表示パネル用の積層シートである。
【００１２】
また、本発明の請求項４に係る発明は、前記第２の加飾層（１０）は、その外周が前記第１の遮光層（８）の前記開口部（８１）の外周から０．０５ｍｍ以上０．２０ｍｍ以下の範囲で内側にあることを特徴とする請求項３に記載する情報表示パネル用の積層シートである。
【００１３】
本発明に係る積層シートは上記した構成を有することで、光源（３）からの光は第１の遮光層（８）の開口部（８１）を通り、第１の反射層（７）を透過して、第２の加飾層（１０）で遮蔽される表示領域を除いて支持体（４）内を観察者（１５）に向けて抜ける。したがって、第１の表示領域（１）の内部において、第２の加飾層（１０）を縁取りしたような直接光が認識されるため、第２の加飾層（１０）に立体感が生じる。
【００１４】
また、本発明の請求項５に係る発明は、前記第１の反射層（７）の波長３８０ｎｍ〜７８０ｎｍにおける光線の反射率が、４０％以上９５％以下であり、前記第１の反射層（７）の全光線透過率が、５％以上４０％以下であることを特徴とする請求項１〜４のいずれか１項に記載する情報表示パネル用の積層シートである。
【００１５】
また、本発明の請求項６に係る発明は、前記第１の遮光層（８）の全光線透過率が、０％以上２０％以下であることを特徴とする請求項１〜５のいずれか１項に記載する情報表示パネル用の積層シートである。
【００１６】
また、本発明の請求項７に係る発明は、前記第２の反射層（５）の波長３８０ｎｍ〜７８０ｎｍにおける光線の反射率が、６０％以上９８％以下であることを特徴とする請求項１〜６のいずれか１項に記載する情報表示パネル用の積層シートである。
【００１７】
また、本発明の請求項８に係る発明は、前記第１の加飾層（６）の全光線透過率が０％以上２０％以下であることを特徴とする請求項1〜７のいずれか１項に記載する情報表示パネル用の積層シートである。
【００１８】
また、本発明の請求項９に係る発明は、前記光透過性着色層（９）は全光線透過率が２０％以上９０％以下の有彩色の層であることを特徴とする請求項１〜８のいずれか１項に記載する情報表示パネル用の積層シートである。
【００１９】
また、本発明の請求項１０に係る発明は、前記第１の加飾層（６）の表面に、第３の加飾層（１１）がさらに備えられていることを特徴とする請求項１〜９のいずれか１項に記載する情報表示パネル用の積層シートである。
【００２０】
また、本発明の請求項１１に係る発明は、前記積層シート（１３）の最表面に、全光線透過率が８０％以上１００％以下の透明加飾層（１２）がさらに備えられていることを特徴とする請求項１〜１０のいずれか１項に記載する情報表示パネル用の積層シートである。
【００２１】
また、本発明の請求項１２に係る発明は、前記支持体（４）の厚さｄが、０．１ｍｍ以上５ｍｍ以下であることを特徴とする請求項１〜１１のいずれか１項に記載する情報表示パネル用の積層シートである。
【００２２】
また、本発明の請求項１３に係る発明は、前記支持体（４）は、ポリカーボネート、ポリプロピレン、発泡ポリプロピレン、ポリエチレンテレフタレート、ポリメタクリル酸メチル、アクリル樹脂、ポリスチレン、メタクリル・スチレン共重合体またはアクリルニトリル・スチレン共重合体のいずれかの樹脂を含んで構成されていることを特徴とする請求項１〜１２のいずれか１項に記載する情報表示パネル用の積層シートである。
【００２３】
また、本発明の請求項１４に係る発明は、前記支持体（４）は、そのヘーズ値が９２％以下であることを特徴とする請求項１〜１３のいずれか１項に記載する情報表示パネル用の積層シートである。
【００２４】
次に、本発明の請求項１５に係る発明は、少なくとも光源（３）と、請求項１〜１４のいずれか１項に記載する情報表示パネル用の積層シート（１３）とを備えることを特徴とする情報表示パネルである。
【００２５】
また、本発明の請求項１６に係る発明は、前記光源（３）が、ＬＥＤ光源であることを特徴とする請求項１５に記載する情報表示パネルである。
【００２６】
また、本発明の請求項１７に係る発明は、前記光源（３）が、エッジライト式光源と導光板からなる面光源であることを特徴とする請求項１５に記載する情報表示パネルである。
【００２７】
更に、本発明の請求項１８に係る発明は、請求項１５〜１７のいずれか１項に記載する情報表示パネルを具備したことを特徴とする輸送機器である。
【発明の効果】
【００２８】
本発明は、上記したように、光源の射出光が第１の遮光層（８）の開口部（８１）を抜け、反射層（７）を透過して、第２の加飾層（１０）で形作られた例えば文字の外周部から直接光として観察者に視認されるため、文字の可読性を高めることが出来、同時に文字に立体感を生じさせる効果がある。すなわち、遮光層で文字・絵柄を形作り、文字・絵柄を、従来の間接光ではなく直接光で、外周を縁取られるように表現することによって、文字・絵柄の可読性を高め、同時に、前記したように立体感を生じさせる効果も実現するため、より複雑な意匠を表現することを可能にする。
【図面の簡単な説明】
【００２９】
【図１】本発明の情報表示パネル用の積層シートの、第１の実施形態の断面模式図である。
【図２】本発明の情報表示パネル用の積層シートの、第２の実施形態の断面模式図である。
【発明を実施するための形態】
【００３０】
以下に、図面を参照して、本発明の情報表示パネル用の積層シートの実施の形態について詳細に説明する。なお、以下の説明で用いられる光学的性質を説明する、ヘーズ値（曇価）、光線透過率、光線反射率は、ＪＩＳ  Ｋ  ７１０５「プラスチックの光学的特性試験方法」で規定されているものに準拠した測定法で得られたものある。
【００３１】
図１は、本発明の情報表示パネル（１４）用の積層シート（１３）の、第１の実施形態を該シート延在方向に垂直な面で切った断面模式図である。図１（Ａ）は、積層の順序をわかりやすくするために各層を分離してあらわしたものであり、図１（Ｂ）は、実際に積層された状態を表したものである。
【００３２】
図１に示すように、本発明の情報表示パネル（１４）用の積層シート（１３）は、背面側に設置された光源（３）により照明されることで情報を表示する、光透過性を有する支持体（４）を備えた情報表示パネル（１４）用の積層シート（１３）である。図１において、観察者（１５）は積層シート（１３）の表面側から目視する。積層シート（１３）には、積層シート(１３)表面側から観察した際に、第１の表示領域（１）に対して第２の表示領域（２）が平面的に隣接して配設されている。この積層シート（１３）の延在面上における第１の表示領域（１）または第２の表示領域（２）の形状により絵柄等の意匠形状が構成されている。
【００３３】
支持体（４）裏面の所定の第１の表示領域（１）には、第１の反射層（７）と第１の遮光層（８）が順に積層され、第１の遮光層（８）には文字等意匠形状の第１の開口部（８１）が設けられ、支持体（４）裏面の少なくとも第２の表示領域（２）には、光透過性着色層（９）が設けられ、さらに、支持体（４）表面の所定の第２の表示領域（２）には、第２の反射層（５）と第１の加飾層（６）とが順に積層されている。さらに、開口部（８１）には、光透過性着色層（９）を備え、第１の表示領域（１）開口部（８１）に対向対応する支持体（４）表面には、第２の加飾層（１０）が積層されている。
【００３４】
支持体（４）は、透明樹脂のみで構成するか、又は拡散性樹脂のみで構成するか、又は透明樹脂層と拡散性樹脂層との積層によって構成することができる。ここで、支持体（４）のヘーズ値は１２％以上９２％以下であることが望ましい。支持体（４）のヘーズ値が１２％未満の場合、支持体に入射して拡散反射して第１の表示領域（１）に抜ける光が減少するために、間接光の輝度が低下するという弊害があるからである。
【００３５】
支持体（４）を透明樹脂のみで構成する場合、ポリカーボネート、ポリプロピレン、発
泡ポリプロピレン、ポリエチレンテレフタレート、ポリスチレン、メタクリル・スチレン共重合体、アクリルニトリル・スチレン共重合体、ポリメタクリル酸メチルまたはアクリル樹脂を利用することができる。この時の支持体（４）の厚さは、第２の反射層（５）で拡散反射された光を多く第１の表示領域（１）に進ませるために、０．１ｍｍ以上が好ましく、情報表示機器筐体内の空間的制約を受けないために５ｍｍ以下が好ましい。また、透明樹脂のみで構成すると支持体（４）における光量の損失を少なく出来るため、光源（３）の点灯時に、より明るく文字・絵柄を表示することができる。
【００３６】
支持体（４）を拡散性樹脂のみで構成する場合、球形または無定形の形状であり有機又は無機からなる光拡散性微粒子を含んだポリカーボネート、ポリスチレン、メタクリル・スチレン共重合体、アクリル樹脂のうち少なくともいずれかを含む有機系樹脂を利用することができる。この時の支持体（４）の厚さは第２の反射層（５）で拡散反射された光を多く第１の表示領域１に進ませるために、０．１ｍｍ以上が好ましく、情報表示機器筐体内の空間的制約を受けないために５ｍｍ以下が好ましい。また、拡散性樹脂のみで構成することにより、光源（３）からの直接入射光の一部が拡散性樹脂で拡散されて第１の表示領域（１）の観察者（１５）の方向に出るために間接光の光量を高められる。
【００３７】
支持体（４）を透明樹脂層と拡散性樹脂層との積層構成にする場合、透明樹脂層にはポリカーボネート、ポリプロピレン、発泡ポリプロピレン、ポリエチレンテレフタレート、ポリスチレン、メタクリル・スチレン共重合体、アクリルニトリル・スチレン共重合体、ポリメタクリル酸メチルまたはアクリル樹脂を、拡散性樹脂層には球形または無定形の形状であり有機又は無機からなる光拡散性微粒子を含んだポリカーボネート、ポリスチレン、メタクリル・スチレン共重合体、アクリル樹脂のうち少なくともいずれかを含む有機系樹脂を利用することができる。この時の支持体（４）の厚さは第２の反射層（５）で拡散反射された光を多く第１の表示領域（１）に進ませるために、０．１ｍｍ以上が好ましく、情報表示機器筐体内の空間的制約を受けないために５ｍｍ以下が好ましい。また、拡散性樹脂層を含む構成であることにより、光源（３）からの直接入射光の一部が拡散性樹脂層で拡散されて第１の反射層（７）でさらに拡散反射され、第１の表示領域（１）の観察者（１５）の方向に出るために、間接光の光量を高められる。ここで、拡散性樹脂層はヘーズ値が１２％以上９２％以下の樹脂であることが望ましい。拡散性樹脂層のヘーズ値が１２％未満の場合、支持体（４）に入射して拡散反射して、第１の表示領域（１）に抜ける光が減少するために、間接光の輝度が低下するという弊害があるからである。
【００３８】
次に、支持体（４）の表側、すなわち、光源と逆側の面の積層構造について説明する。支持体（４）の表側には、第２の表示領域（２）に第２の反射層（５）が積層される。第２の反射層（５）はスクリーン印刷等によって設けることができる。特にスクリーン印刷に限定することなく、凸版印刷、フレキソ印刷、オフセット印刷、グラビア印刷、インクジェット等を用いることができる。第２の反射層（５）は入射した光が所定の確率で拡散反射する効果を有するものである。第２の反射層（５）には白色インキを用いるのが望ましいが、光の反射効果、透過効果があれば白色インキに限らない。厚みに制限は無いが、５μｍ〜３０μｍにすると反射効果が出やすい。また、第２の反射層（５）における波長３８０ｎｍ〜７８０ｎｍの光線の反射率は６０％以上９５％以下であることが望ましい。第２の反射層（５）の反射率が６０％未満であった場合、第２の反射層（５）で反射される間接光の輝度が低下し、第１の表示領域（１）と第２の表示領域（２）の境界における立体感が損なわれるからである。光源（３）が点灯した際には、第２の反射層（５）で拡散反射した光が、第２の表示領域の外周である第１の表示領域（１）で間接光として視認される。
【００３９】
第２の表示領域（２）において第２の反射層（５）の光源と逆側の面に、第１の加飾層（６）が積層される。第１の加飾層（６）はスクリーン印刷等によって設けることができ
る。特にスクリーン印刷に限定することなく、凸版印刷、フレキソ印刷、オフセット印刷、グラビア印刷、インクジェット等を用いることができる。第１の加飾層（６）には黒色インキを用いるのが望ましいが、遮光効果があれば黒色インキに限らない。厚みに制限は無いが、５μｍ〜３０μｍにすると遮光効果が出やすい。また、第１の加飾層（６）の全光線透過率は、０％以上２０％以下の範囲であることが望ましい。全光線透過率が２０％より大きい場合、第２の表示領域（２）における第２の反射層（５）の透過光を遮光できず、第１の表示領域（１）と第２の表示領域（２）との間のコントラストが低下し、立体感が損なわれるという弊害があるからである。第１の加飾層（６）は第２の表示領域（２）における絵柄を表すとともに、第２の反射層（５）で拡散反射されずに透過する光源（３）の光を遮光する。
【００４０】
次に、支持体（４）の裏側、すなわち、光源（３）側の面の積層構造について説明する。支持体（４）の裏側には、第１の表示領域（１）に第１の反射層（７）を設ける。第１の反射層（７）はスクリーン印刷等によって設けることができる。特にスクリーン印刷に限定することなく、凸版印刷、フレキソ印刷、オフセット印刷、グラビア印刷、インクジェット等を用いることができる。第１の反射層（７）は入射した光が所定の確率で拡散反射する効果を有するものである。第１の反射層（７）には白色インキを用いるのが望ましいが、光の反射効果があれば白色インキに限らない。厚みに制限は無いが、５μｍ〜３０μｍにすると反射効果が出やすい。また、第１の反射層（７）における波長３８０ｎｍ〜７８０ｎｍの光線の反射率は４０％以上９５％以下であることが望ましい。第１の反射層（７）における反射率が４０％未満であった場合に、第１の反射層（７）で反射される間接光の輝度が低下し、立体感が損なわれるという弊害があるからである。光源（３）が点灯した際には、第２の反射層（５）で反射した光が、第１の反射層（７）で再反射して第１の表示領域（１）の観察者（１５）側に抜けることにより、立体感を持たせる。
【００４１】
第１の表示領域（１）において、第１の反射層（７）の光源（３）側に第１の遮光層（８）を積層する。第１の遮光層（８）はスクリーン印刷等によって設けることができる。特にスクリーン印刷に限定することなく、凸版印刷、フレキソ印刷、オフセット印刷、グラビア印刷、インクジェット等を用いることができる。第１の遮光層（８）には黒色インキを用いるのが望ましいが、遮光効果があれば黒色インキに限らない。厚みに制限は無いが、５μｍ〜３０μｍにすると遮光効果が出やすい。第１の遮光層（８）の全光線透過率は０％以上２０％以下であることが望ましい。第１の遮光層（８）の全光線透過率が２０％より大きい場合、第１の遮光層（８）の入射光を遮光できず、第１の表示領域（１）において直接光が視認されるために間接光の視認性が低下し立体感が損なわれるという弊害があるからである。光源（３）が点灯した際に第１の遮光層（８）が遮光するため、後述する第１の遮光層（８）の開口部（８１）を除いて直接光が第１の表示領域（１）を透過しない。それにより、第２の表示領域（２）の反射層（５）で反射された間接光の、第１の表示領域１における視認性が高められ、文字・絵柄等が美しく表示される。
【００４２】
第１の表示領域（１）において、第１の遮光層（８）に文字等意匠形状の開口部（８１）を設ける。光源（３）が点灯した際に、第１の遮光層（８）の開口部（８１）を抜けた光が第１の表示領域（１）の内部で直接光として視認される。直接光は第１の反射層（７）と支持体（４）を透過して観察者（１５）の側に射出されるため、第２の反射層（５）の色に依存した白色光として視認される。前記した第１の反射層（７）の全光線透過率は５％以上４０％以下であることが望ましい。第１の反射層（７）の全光線透過率が５％未満であると、第１の遮光層（８）に文字等意匠形状の開口部が設けられた場合にその部分の輝度が低く、文字等意匠形状が視認されないからである。
【００４３】
支持体（４）において、光源（３）側の第２の表示領域（２）に光透過性着色層（９）を設ける。特に第２の表示領域（２）だけに限定することはなく、製造上の利便性を考慮
し、第１の遮光層（８）の光源（３）側に積層されてもかまわない。光透過性着色層（９）はスクリーン印刷等によって設けることができる。特にスクリーン印刷に限定することなく、凸版印刷、フレキソ印刷、オフセット印刷、グラビア印刷、インクジェット等を用いることができる。光透過性着色層（９）には光透過性のある有彩色のインキが用いられるのが望ましいが、光透過性のある有彩色の層を設けられるのであればこれに限らない。また、光透過性着色層（９）は全光線透過率が２０％以上９０％以下であることが望ましい。光透過性着色層（９）の全光線透過率が２０％未満の場合、第２の反射層（５）に入射して反射され第１の表示領域（１）で視認される間接光の輝度が低くなることから立体感が損なわれるという弊害があるからである。光源（３）が点灯した際に光透過性着色層（９）を透過した光が第２の反射層（５）、第１の反射層（７）で再反射して、第１の表示領域（１）で間接光として視認されるため、間接光は光透過性着色層（９）の色に依存する。光透過性着色層（９）を任意の選択された色にすることにより、文字・絵柄等が美しく表示される。光透過性着色層（９）は第１の遮光層（８）の開口部（８１）において、第１の反射層（１）の光源（３）側の面に積層されても良い。光透過性着色層（９）が第１の遮光層（８）の開口部（８１）において、第１の反射層（７）の光源（３）側の面に積層された場合、開口部（８１）を抜けて第１の表示領域（１）に視認される光は、光透過性着色層（９）と第１の反射層（７）を透過した直接光として観察者（１５）に視認されるため、光透過性着色層（９）の色に依存した有彩色となる。
【００４４】
支持体（４）の光源（３）と逆側の面において、第１の表示領域（１）の内部で、第１の遮光層（８）の開口部（８１）に対向・対応する表示領域に第２の加飾層（１０）を設ける。第２の加飾層（１０）はスクリーン印刷等によって設けることができる。特にスクリーン印刷に限定することなく、凸版印刷、フレキソ印刷、オフセット印刷、グラビア印刷、インクジェット等を用いることができる。第２の加飾層（１０）の外周は第１の遮光層（８）の開口部（８１）の外周から０．０５ｍｍ以上０．２０ｍｍ以下の範囲で内側にあることが望ましい。第２の加飾層（１０）の外周の第１の遮光層（８）の開口部（８１）の外周からの距離が０．０５ｍｍ以下である場合、第１の遮光層（８）の開口部（８１）を抜けた光が第２の加飾層（１０）に遮光されてしまい、観察者（１５）から視認される直接光の光量が低下し、第２の加飾層（１０）の立体感が低下するという弊害があるからである。また、第２の加飾層（１０）の外周が第１の遮光層（８）の開口部（８１）の外周から０．２０ｍｍ以上内側にある場合には、第１の遮光層（８）の開口部（８１）を抜けて第２の加飾層（１０）の外周に視認される光の光量が高くなりすぎ、第２の加飾層（１０）の視認性が低下するという弊害があるからである。また、第２の加飾層（１０）には黒色インキを用いるのが望ましいが、遮光効果があれば黒色インキに限らない。厚みに制限は無いが、５μｍ〜３０μｍにすると遮光効果が出やすい。第２の加飾層（１０）の全光線透過率は０％以上２０％以下であることが望ましい。第２の加飾層（１０）の全光線透過率が２０％より大きい場合、第２の加飾層（１０）の透過光が視認され、第１の遮光層（８）の開口部を通り第１の反射層（７）を透過した、第２の加飾層（１０）の周辺部に視認される直接光と第２の加飾層（１０）とのコントラストが低下し、第２の加飾層（１０）の視認性が低下するという弊害があるからである。
【００４５】
光源（３）からの光は、積層シート（１３）の入射面より光透過性着色層（９）に入射する。光透過性着色層（９）を透過した光は、第１の遮光層（８）及び第１の反射層（７）が積層されていない第２の表示領域（２）から支持体（４）を通り、第２の反射層（５）に入射した光の一部が第２の反射層（５）で反射される。その光は支持体（４）内を透過し、第１の反射層（７）で再反射され、支持体（４）内を観察者（１５）に向けて抜ける。光源（３）からの直接光は、第１の遮光層（８）の開口部（８１）を除いて、第１の加飾層（６）及び第１の遮光層（８）、第２の加飾層（１０）で遮光されるために視認されない。したがって、第１の表示領域（１）において、第２の表示領域（２）を縁取りしたような間接光が認識されるため、第１の表示領域（１）に立体感が生じる。また、光源（３）からの光は第１の遮光層（８）の開口部（８１）を通り、第１の反射層（７）を透過して、第２の加飾層（１０）で遮蔽される表示領域を除いて支持体（４）内を観察者（１５）に向けて抜ける。したがって、第１の表示領域（１）の内部において、第２の加飾層（１０）を縁取りしたような直接光が認識されるため、第２の加飾層（１０）に立体感が生じる。
【００４６】
図２は、本発明の情報表示パネル（１４）用の積層シート（１３）の、第２の実施形態を該シート延在方向に垂直な面で切った断面模式図である。図２（Ａ）は、積層の順序をわかりやすくするために各層を分離してあらわしたものであり、図２（Ｂ）は、実際に積層された状態を表したものである。図２に示すように、光源（３）は積層シート（１３）の裏面側に設置され、観察者（１５）は積層シート（１３）の表面側から目視する。積層シート（１３）には、積層シート(１３)表面側から観察した際に、第１の表示領域（１）に対して第２の表示領域（２）が平面的に隣接して配設されている。この積層シート（１３）の延在面上における第１の表示領域（１）または第２の表示領域（２）の形状により絵柄等の意匠形状が構成されている。
【００４７】
ここでは、支持体（４）裏面の所定の表示領域には、第１の反射層（７）と第１の遮光層（８）、光透過性着色層９が積層されている。また、支持体（４）表面の所定の表示領域には、第２の反射層（５）と第１の加飾層（６）、第２の加飾層（１０）、第３の加飾層（１１）、透明加飾層（１２）が積層されている。
【００４８】
支持体（４）の構成、材料、作成方法、効果は、前述した第１の実施形態の場合と同様である。
【００４９】
次に、第２の実施形態の場合での、支持体（４）の表側、すなわち、光源と逆側の面の積層構造について説明する。支持体（４）の表側には、、第２の表示領域（２）に第２の反射層（５）が積層される。第２の反射層（５）の材料、作成方法、効果は、前述した第１の実施形態の場合と同様である。
【００５０】
第２の表示領域（２）において第２の反射層（５）の光源（３）と逆側の面に、第１の加飾層（６）が積層される。第１の加飾層（６）の材料、作成方法、効果は、前述した第１の実施形態の場合と同様である。
【００５１】
さらに、第１の加飾層（６）の光源（３）と逆側の面に、第３の加飾層１１が積層される。第３の加飾層（１１）はスクリーン印刷等によって設けることができる。特にスクリーン印刷に限定することなく、凸版印刷、フレキソ印刷、オフセット印刷、グラビア印刷、インクジェット等を用いることができる。第３の加飾層（１１）には白色インキを用いるのが望ましいが、第１の加飾層（６）との色調差によって絵柄が視認されるものであればこれに限らない。なお、さらに意匠を形成するため、第３の加飾層（１１）の光源と逆側の面にさらに他の加飾層が積層されていても構わない。
【００５２】
第２の実施形態の場合、積層シート（１３）の光源（３）と逆側の最表面に、全光線透過率が８０％以上１００％以下の透明加飾層（１２）が積層される。透明加飾層（１２）は積層シート（１３）表面での光散乱の調整と表面の保護を目的として設けられる。透明加飾層（１２）はスクリーン印刷等によって設けることができる。特にスクリーン印刷に限定することなく、凸版印刷、フレキソ印刷、オフセット印刷、グラビア印刷、インクジェット等を用いることができる。透明加飾層（１２）は透明インキを用いるのが望ましい。厚みに制限は無いが、４μｍ〜５０μｍにすると視認しやすい。また、透明加飾層（１２）の全光線透過率は８０％以上１００％以下であることが望ましい。透明加飾層（１２）の全光線透過率が８０％未満である場合、透明加飾層が積層シート（１３）の光源（３）と逆側の面の文字・絵柄を遮蔽し、視認を妨げてしまうという弊害があるからである。
【００５３】
次に、第２の実施形態の場合での、支持体（４）の裏側、すなわち、光源（３）側の面の積層構造について説明する。支持体（４）の光源（３）側の第１の表示領域（１）に第１の反射層（７）を設ける。第１の反射層（７）の材料、作成方法、効果は、前述した第１の実施形態の場合と同様である。
【００５４】
第１の表示領域（１）において、第１の反射層（７）の光源（３）側に第１の遮光層（８）を積層する。第１の遮光層（８）の材料、作成方法、効果は、前述した第１の実施形態の場合と同様である。
【００５５】
第１の表示領域（１）において、第１の遮光層（８）に開口部（８１）を設ける。開口部（８１）の効果は前述した第１の実施形態と同様である。
【００５６】
第１の遮光層（８）が積層されていない第２の表示領域（２）において、支持体（４）の光源側に光透過性着色層（９）を設ける。また、特に第２の表示領域（２）だけに限定することはなく、製造上の利便性を考慮し、第１の遮光層（８）の光源（３）側に積層されてもかまわない。光透過性着色層（９）は第１の遮光層（８）の開口部（８１）において、第１の反射層（７）の光源（３）側の面に積層されても良い。光透過性着色層（９）が第１の遮光層（８）の開口部（８１）において、第１の反射層（７）の光源（３）側の面に積層された場合、開口部（８１）を抜けて第１の表示領域（１）に視認される光は、光透過性着色層（９）と第１の反射層（７）を透過した直接光として観察者（１５）に視認されるため、光透過性着色層（９）の色に依存した有彩色となる。光透過性着色層（９）の材料、作成方法、効果は、前述した第１の実施形態の場合と同様である。
【００５７】
支持体（４）の光源（３）と逆側の面において、第１の表示領域（１）の内部で、第１の遮光層（８）の開口部（８１）に対向・対応する表示領域に第２の加飾層（１０）を設ける。第２の加飾層（１０）の材料、作成方法、効果は、前述した第１の実施形態の場合と同様である。
【００５８】
前述した第１の実施形態の場合と同様に、光源（３）からの光は、積層シート（１３）の入射面より光透過性着色層（９）に入射する。光透過性着色層（９）を透過した光は、第１の遮光層（８）及び第１の反射層（７）が積層されていない第２の表示領域（２）から支持体（４）を通り第２の反射層（５）に入射した光の一部が第２の反射層（５）で反射される。その光は支持体（４）内を透過し、第１の反射層（７）で再反射され、支持体（４）内を観察者（１５）に向けて抜ける。光源（３）からの直接光は第１の遮光層（８）の開口部（８１）を除き、第１の加飾層（６）及び第１の遮光層（８）、第２の加飾層（１０）で遮光されるために視認されない。したがって、第１の表示領域（１）において、第２の表示領域（２）を縁取りしたような間接光が認識されるため、第１の表示領域（１）に立体感が生じる。また、光源（３）からの光は第１の遮光層（８）の開口部（８１）を通り、第１の反射層（７）を透過して、第２の加飾層（１０）で遮蔽される表示領域を除いて支持体（４）内を観察者（１５）に向けて抜ける。したがって、第１の表示領域（１）の内部において、第２の加飾層（１０）を縁取りしたような直接光が認識されるため、第２の加飾層（１０）に立体感が生じる。第２の実施形態の場合には、第３の加飾層（１１）によって第２の表示領域（２）に任意の加飾が施され、さらに透明加飾層（１２）は透過性があり、透明加飾層（１２）を通して下地の第３の加飾層（１１）が視認されるため、光源（３）の点灯時、非点灯時ともに第２の表示領域（２）に文字・絵柄を美しく表現することが出来る。
【００５９】
本発明の情報表示パネル（１４）は、少なくとも前述した積層シート（１３）と光源（
３）を備える。また、光源（３）は、ＬＥＤ光源や、エッジライト式光源と導光板からなる面光源が用いられる。
【００６０】
また、本発明の輸送機器は、例えば、自動車および飛行機等がある。輸送機器は、前述した情報表示パネル（１４）を少なくとも具備しており、例えば、情報表示パネル（１４）の観察者（１５）側に樹脂製カバーを備えた形で、速度計測器の表示パネル等に使用される。輸送機器の構造は一般的に用いられるものである。
【実施例】
【００６１】
以下に、本発明の具体的実施例について説明する。
【００６２】
＜実施例１＞
本発明の第１の実施例について、図１に示した構成に沿って具体的に説明する。
支持体（４）として厚さ０．５ｍｍのポリカーボネートを用い、その一方の面（表面）の第２の表示領域（２）に、スクリーン印刷で白インキの第２の反射層（５）を設け、その第２の反射層（５）上に、黒インキの第１の加飾層（６）を積層し、同時に、黒インキの第２の加飾層（１０）を第１の表示領域（１）の支持体（４）の同じ側の面上の一部に設けた。また、支持体（４）の他方の面（裏面）の第１の表示領域（１）に白インキの第１の反射層（７）を設け、その第１の反射層（７）上に、黒インキの第１の遮光層（８）を積層した。なお、第１の遮光層（８）には開口部（８１）を設けた。次に、青インキの光透過性着色層（９）を、第１の遮光層（８）が積層されていない第２の表示領域（２）と、第１の遮光層（８）の開口部（８１）とに設けた。なお、第２の加飾層（１０）の外周は第１の遮光層（８）の開口部（８１）の外周から０．１ｍｍ内側となるよう作成した。これを、実施例１の情報表示パネル（１４）用積層シート（１３）として、裏面側に光源（３）となる１，０００ｃｄ／ｍ２のＬＥＤ光源を置き、非点灯時と点灯時に表面側から観察者（１５）が目視した。
【００６３】
＜実施例２＞
本発明の第２の実施例について、図２に示した構成に沿って具体的に説明する。
支持体（４）として厚さ０．５ｍｍのポリカーボネートを用い、その一方の面の第２の表示領域（２）に、スクリーン印刷で白インキの第２の反射層（５）を設け、その第２の反射層（５）上に、黒インキの第１の加飾層（６）を積層し、同時に、黒インキの第２の加飾層（１０）を第１の表示領域（１）の支持体（４）の同じ側の面上の一部に設けた。さらに、白インキの第３の加飾層（１１）を第１の加飾層（６）上に積層した。そして、表面側の最表面に透明加飾層（１２）を積層した。また、支持体（４）の他方の面（裏面）の第１の表示領域（１）に白インキの第１の反射層（７）を設け、その第１の反射層（７）上に、黒インキの第１の遮光層（８）を積層した。なお、第１の遮光層（８）には開口部（８１）を設けた。次に、青インキの光透過性着色層（９）を、第１の遮光層（８）が積層されていない第２の表示領域（２）と、第１の遮光層（８）の開口部（８１）とに設けた。なお、第２の加飾層（１０）の外周は第１の遮光層（８）の開口部（８１）の外周から０．１ｍｍ内側となるよう作成した。これを、実施例２の情報表示パネル（１４）用積層シート（１３）として、裏面側に光源（３）となる１，０００ｃｄ／ｍ２のＬＥＤ光源を置き、非点灯時と点灯時に表面側から観察者（１５）が目視した。
【００６４】
前記した実施例１および２の積層シート（１３）を用いた情報表示パネル（１４）において、光源３を点灯させることにより、直接光で外周を縁取られるように文字・絵柄を表現することができた。また、文字・絵柄に相当する第２の加飾層（１１）の可読性を高めることができた。さらに、間接光の効果も合わせて、立体感が生じ、複雑な意匠としての表現が得られた。
【符号の説明】
【００６５】
１・・・第１の表示領域    ２・・・第２の表示領域    ３・・・光源    ４・・・支持体    
５・・・第２の反射層    ６・・・第１の加飾層    ７・・・第１の反射層    
８・・・第１の遮光層    ９・・・光透過性着色層    １０・・・第２の加飾層    
１１・・・第３の加飾層    １２・・・透明加飾層    １３・・・積層シート    
１４・・・情報表示パネル    １５・・・観察者
【図１】
2012173460.tif 000003
【図２】
2012173460.tif 000004